(57)【要約】【課題】      フランジ部を別体で着脱可能に分割形成してサミング性能面や外観面のバリエ−ションの多様化を図った魚釣用リ−ルを提供することである。【解決手段】  スプ−ル４はスプ−ル本体４′と別体の前側フランジ部６と別体の筒状の釣糸巻回胴部４″で構成されている。  別体の前側フランジ部６は環状の円板６ａと円板６ａの外側から前方に傾斜した鍔部６ｂと鍔部６ｂの周方向に穿設された複数の貫通孔からなるサミング部６ｃで形成され、別体の前側フランジ部６はスプ−ル本体４′の筒部４ｅの外側に嵌合されると共に段部４ｇと筒状の釣糸巻回胴部４″の前端に押し当てられてネジ部４ｆに螺合されたナット１８で取り付けられ、別体の前側フランジ部６の材質は金属材や合成樹脂材で形成されて表面の色彩は適宜選定される。【選択図】        図４
2006254741.tif 000002
【特許請求の範囲】
【請求項１】
リ−ル本体にスプ−ルの一側部が露出した状態で回転自在に支持されてなる魚釣用リ−ルにおいて、前記スプ−ルのリ−ル本体とは反対側のフランジ部を別体で着脱可能に分割形成してスプ−ル本体を構成し、該フランジ部にサミング部が形成されていることを特徴とする魚釣用リ−ル。
【請求項２】
フランジ部のサミング部が、周方向に複数設けた貫通孔や凹凸部で形成されていることを特徴とする請求項１記載の魚釣用リ−ル。
【発明の詳細な説明】
【技術分野】
【０００１】
本発明は、リ−ル本体の支軸に、回転自在に支持したスプ−ルの一側部にサミング操作部が形成された魚釣用リ−ルの改良に関する。
【背景技術】
【０００２】
従来、フライリ−ルやチヌリ−ルとして広く知られている片軸受型リ−ルのスプ−ルには、釣糸の繰り出しで回転するスプ−ルの回転に適度な制動力を付与して魚との対応が適切に行えるべく、特許文献１で知られるように、スプ−ルのフランジ外側部にサミング操作部をビスで着脱可能に取り付け固定できるようにし、サミング操作部が損傷又は摩耗した場合、或いは、サミング特性を換える時、等の場合に、その交換を可能にできるように構成されている。
【特許文献１】特開２００２−２１８８７６号公報
【発明の開示】
【発明が解決しようとする課題】
【０００３】
解決しようとする問題点は、スプ−ルのフランジ外側部に取り付けたサミング操作部の側面を指で押圧して制動することになるので、サミング面が限られて幅広い制動力の調節が容易に行えない。
又、スプ−ルのフランジ外側部に、更に環状のサミング操作部を装着する構成なので、スプ−ル全体が重量化してしまい、スム−ズなスプ−ル回転性が得られない、等の課題が残されている。
ことである。
【０００４】
本発明の目的は前記欠点に鑑み、フランジ部を別体で着脱可能に分割形成してサミング性能面や外観面のバリエ−ションの多様化を図った魚釣用リ−ルを提供することである。
【課題を解決するための手段】
【０００５】
本発明の請求項１は、リ−ル本体にスプ−ルの一側部が露出した状態で回転自在に支持されてなる魚釣用リ−ルにおいて、前記スプ−ルのリ−ル本体とは反対側のフランジ部を別体で着脱可能に分割形成してスプ−ル本体を構成し、該フランジ部にサミング部が形成されていることを要旨とするものである。
本発明の請求項２は、フランジ部のサミング部が、周方向に複数設けた貫通孔や凹凸部で形成されていることを要旨とするものである。
【発明の効果】
【０００６】
本発明の請求項１によれば、スプ−ルの軽量化を図りながら、サミング性能の異なるスプ−ルを容易に構成できてスプ−ルバリエ−ションが増え、幅広い釣り状況に対応できる。
又、異なる色調のフランジ部を装着することにより、サミング性能面からだけではなく、外観面でのバリエ−ションも増え、釣用リ−ルの差別化ができる。
本発明の請求項２によれば、サミング部を有するフランジ部が軽量化され、スプ−ルの軽量化が更に可能となる。
又、凹凸部を有するフランジ部をプレス加工等で容易に製作することができるので、従来の切削加工に比べ製造コストの低減が図れる。
【発明を実施するための最良の形態】
【０００７】
スプ−ル４はスプ−ル本体４′と別体の前側フランジ部６と別体の筒状の釣糸巻回胴部４″で構成されている。
スプ−ル本体４′は中心筒状の支持部４ａと支持部４ａより太径の前側筒部４ｂと前側筒部４ｂの内側の凹部４ｃと前端のスプ−ル側部４ｄとスプ−ル側部４ｄの外側の筒部４ｅと筒部４ｅの前側外周に形成されたネジ部４ｆと筒部４ｅの後側の段部４ｇと段部４ｇの後側の筒部４ｈと筒部４ｈ外周のネジ部４ｉとで形成されている。
スプ−ル側部４ｄは、表面が平滑面状で形状は中心に近づくにつれて外側に膨出するテ−パ形状となっている。
別体の筒状の釣糸巻回胴部４″は筒状の釣糸巻回胴部４ｊと釣糸巻回胴部４ｊの前側の内周のネジ部４ｋと後側の後壁４ｍと筒部４ｎで形成されている。
別体の筒状の釣糸巻回胴部４″はネジ部４ｋがスプ−ル本体４′のネジ部４ｉに螺合されて取り付けられている。
別体の前側フランジ部６は環状の円板６ａと円板６ａの外側から前方に傾斜した鍔部６ｂと鍔部６ｂの周方向に穿設された複数の貫通孔からなるサミング部６ｃで形成されている。
別体の前側フランジ部６はスプ−ル本体４′の筒部４ｅの外側に嵌合されると共に段部４ｇと筒状の釣糸巻回胴部４″の前端に押し当てられてネジ部４ｆに螺合されたナット１８で取り付けられている。
別体の前側フランジ部６の材質は金属材や合成樹脂材で形成されて表面の色彩は適宜選定される。
【実施例１】
【０００８】
以下、図示の実施例によって本発明を説明すると、魚釣用リ−ルを魚釣用片軸受型リ−ルで述べれば図１から図４は第１実施例で、図１は魚釣用片軸受型リ−ルの正面図とスプ−ル中央先端部の断面側面図、図２は魚釣用片軸受型リ−ルの断面側面図、図３は魚釣用片軸受型リ−ルのスプ−ルまわりの要部拡大断面側面図、図４は魚釣用片軸受型リ−ルの要部拡大断面側面図である。
【０００９】
魚釣用片軸受型リ−ルは円盤状のリ−ル本体１の中心一側に支軸２の一端２ａが埋設固定されて支軸２の外周にピニオン３が軸方向に移動自在でかつ回転自在に嵌合されると共にスプ−ル４が回転自在に支持されている。
リ−ル本体１の軸孔１ａにはハンドル軸１０が回転自在に嵌合されてハンドル軸１０に回り止め嵌合された駆動歯車１２がピニオン３に噛合されている。
リ−ル本体１の外部に突出されたハンドル軸１０にはハンドル１１が取り付けられている。
ハンドル軸１０の駆動歯車１２位置より前側の細い軸部１０ａにクラッチ復帰体１３が軸方向に移動自在でかつ回り止め嵌合されて発条１４で駆動歯車１２側に押圧付勢されている。
細い軸部１０ａの先端外周には軸受１５が嵌合されている。
リ−ル本体１の一側前側縁部には円筒部１ｂが形成されて円筒部１ｂ外周に支持体５が嵌合固定されている。
支軸２にはピニオン３が嵌合された軸部２ｂとスプ−ル４の中心筒状の支持部４ａの中に収容された軸受１６、１７が嵌合される軸部２ｃと先端の周溝２ｄと頭部２ｅとで形成されている。
【００１０】
スプ−ル４はスプ−ル本体４′と別体の前側フランジ部６と別体の筒状の釣糸巻回胴部４″で構成されている。
スプ−ル本体４′は中心筒状の支持部４ａと支持部４ａより太径の前側筒部４ｂと前側筒部４ｂの内側の凹部４ｃと前端のスプ−ル側部４ｄとスプ−ル側部４ｄの外側の筒部４ｅと筒部４ｅの前側外周に形成されたネジ部４ｆと筒部４ｅの後側の段部４ｇと段部４ｇの後側の筒部４ｈと筒部４ｈ外周のネジ部４ｉとで形成されている。
スプ−ル側部４ｄは、表面が平滑面状で形状は中心に近づくにつれて外側に膨出するテ−パ形状となっている。
別体の筒状の釣糸巻回胴部４″は筒状の釣糸巻回胴部４ｊと釣糸巻回胴部４ｊの前側の内周のネジ部４ｋと後側の後壁４ｍと筒部４ｎで形成されている。
別体の筒状の釣糸巻回胴部４″はネジ部４ｋがスプ−ル本体４′のネジ部４ｉに螺合されて取り付けられている。
【００１１】
別体の前側フランジ部６は環状の円板６ａと円板６ａの外側から前方に傾斜した鍔部６ｂと鍔部６ｂの周方向に穿設された複数の貫通孔からなるサミング部６ｃで形成されている。
別体の前側フランジ部６はスプ−ル本体４′の筒部４ｅの外側に嵌合されると共に段部４ｇと筒状の釣糸巻回胴部４″の前端に押し当てられてネジ部４ｆに螺合されたナット１８で取り付けられている。
別体の前側フランジ部６の材質は金属材や合成樹脂材で形成されて表面の色彩は適宜選定される。
【００１２】
支持体５は筒部５ａの内側に円板状の基板部５ｂが形成されている。
支持体５は筒部５ａの後端内周には段部で凹部５ｃが形成されてリ−ル本体１の一側前側縁部の円筒部１ｂ外周に嵌合されている。
筒部５ａの外周には竿取付部１９が固定されていると共に、反対側の外周にスプ−ル４の外周方向へ突出する高硬度材料からなる一片の断面円弧状の保護プレ−ト２０がネジ止めされ、竿取付部１９に釣竿２１が取り付けられる。
基板部５ｂには一対の軸受支持孔５ｄ、５ｅが穿設されて軸受支持孔５ｄ、５ｅの何れか一方にはハンドル軸１０の細い軸部の先端外周に嵌合された軸受１５の外輪が嵌合されている。
【００１３】
前側筒部４ｂの内側の凹部４ｃ内には保持部材７とスプ−ル着脱操作部材８と制動調節部材９と支軸２の周溝２ｄと係合する支軸２の径方向へ一対のバネ２２で付勢された一対の係止板２３からなる従来周知のワンタッチ式のスプ−ル着脱機構が装着されている。
保持部材７は凹部４ｃ内に螺合され、スプ−ル着脱操作部材８は保持部材７内で制動調節部材９と一対の係止板２３と一対のバネ２２で外側方向に付勢されている。
制動調節部材９はスプ−ル着脱操作部材８内に螺合され、制動調節部材９に設けられた摩擦材からなる制動部材２４が支軸２の頭部２ｅに当接するように臨まされている。
【００１４】
別体の前側フランジ部６は環状の円板６ａと円板６ａの外側から前方に傾斜した鍔部６ｂと鍔部６ｂの周方向に穿設された複数の貫通孔からなるサミング部６ｃで形成され、サミング操作される時は前側から鍔部６ｂの前面に指が当てられて行われる。
前側フランジ部６はスプ−ル４のスプ−ル本体４′と筒状の釣糸巻回胴部４″とは別体に形成されているので、プレス加工などで形成が可能になるからスプ−ル４の加工時間が短縮され、コストダウン、量産性が向上される。
サミング用の貫通孔などの形状変更が容易になる。
サミング性能の異なるスプ−ルバリエ−ションを増やし易くなる。
筒状の釣糸巻回胴部４″の共通化が図れる。
色彩を別色にして外観の差別化が図れる。
【００１５】
前記のように魚釣用片軸受型リ−ルが構成されると、スプ−ルの軽量化を図りながら、サミング性能の異なるスプ−ルを容易に構成できてスプ−ルバリエ−ションが増え、幅広い釣り状況に対応できる。
又、異なる色調のフランジ部を装着することにより、サミング性能面からだけではなく、外観面でのバリエ−ションも増え、釣用リ−ルの差別化ができる。
本発明の請求項２によれば、サミング部を有するフランジ部が軽量化され、スプ−ルの軽量化が更に可能となる。
又、凹凸部や貫通孔を有するフランジ部をプレス加工等で容易に製作することができるので、従来の切削加工に比べ製造コストの低減が図れる。
【実施例２】
【００１６】
図５は第２実施例で、図５は魚釣用片軸受型リ−ルの要部拡大断面側面図である。
【００１７】
第２実施例では、スプ−ル４はスプ−ル本体４′と筒状の釣糸巻回胴部４ｊが一体に形成されて別体の前側フランジ部６はスプ−ル本体４′の筒部４ｅの外側に嵌合されると共に段部４ｇと筒状の釣糸巻回胴部４ｊの前端に押し当てられてネジ部４ｆに螺合されたナット１８で取り付けられている。
他の構成は前記第１実施例と略同一である。
【実施例３】
【００１８】
図６は第３実施例で、図６は魚釣用片軸受型リ−ルの要部拡大断面側面図である。
【００１９】
第３実施例では、別体の前側フランジ部６′は環状の円板６ａと円板６ａの外側から前方に傾斜した鍔部６ｂと鍔部６ｂの周方向に穿設された複数の凹部からなるサミング部６ｄで形成されている。
別体の前側フランジ部６′はスプ−ル本体４′の筒部４ｅの外側に嵌合されると共に段部４ｇと筒状の釣糸巻回胴部４″の前端に押し当てられてネジ部４ｆに螺合されたナット１８で取り付けられている。
他の構成は前記第１実施例と略同一である。
【００２０】
前側フランジ部６′に前記のように凹部を有するフランジ部をプレス加工等で容易に製作することができるので、従来の切削加工に比べ製造コストの低減が図れる。
【実施例４】
【００２１】
図７は第４実施例で、図７は魚釣用片軸受型リ−ルの要部拡大断面側面図である。
【００２２】
第４実施例では、別体の前側フランジ部６″は環状の前方に傾斜した鍔部６ｂと鍔部６ｂの周方向に穿設された複数の貫通孔からなるサミング部６ｃと、鍔部６ｂの基部に筒部６ｅと中心に向かう鍔部６ｆが一体に形成されている。
別体の前側フランジ部６″はスプ−ル本体４′の筒部４ｅの外側に嵌合されると共に段部４ｇと筒状の釣糸巻回胴部４″の前端に押し当てられてネジ部４ｆに螺合されたナット１８で取り付けられている。
前側フランジ部６″がスプ−ル本体４′に取り付けられると、図の２点鎖線の前側フランジ部６が取り付けられた状態より鍔部６ｂが前方に位置されて釣糸の巻回量が増やされる。
このように、形状の異なる前側フランジ部（６″、６）を選択使用することによって、釣糸巻回量を長短でき、釣糸巻回量の調節が可能となる。
他の構成は前記第１実施例と略同一である。
【図面の簡単な説明】
【００２３】
【図１】第１実施例で、魚釣用片軸受型リ−ルの正面図とスプ−ル中央先端部の断面側面図である。
【図２】同魚釣用片軸受型リ−ルの断面側面図である。
【図３】同魚釣用片軸受型リ−ルのスプ−ルまわりの要部拡大断面側面図である。
【図４】同魚釣用片軸受型リ−ルの要部拡大断面側面図である。
【図５】第２実施例で、魚釣用片軸受型リ−ルの要部拡大断面側面図である。
【図６】第３実施例で、魚釣用片軸受型リ−ルの要部拡大断面側面図である。
【図７】第４実施例で、魚釣用片軸受型リ−ルの要部拡大断面側面図である。
【符号の説明】
【００２４】
１  リ−ル本体
２  支軸
４  スプ−ル
６、６′、６″  フランジ部
６ｃ、６ｄ  サミング部
【図１】
2006254741.tif 000003
【図２】
2006254741.tif 000004
【図３】
2006254741.tif 000005
【図４】
2006254741.tif 000006
【図５】
2006254741.tif 000007
【図６】
2006254741.tif 000008
【図７】
2006254741.tif 000009